【事件の表示】
　平成３年特許願第１４３６６３号「遠隔制御システム用のカードスイッチ装置」拒絶査定に対する審判事件［平成４年１２月２１日出願公開、特開平４−３６８７２８号］について、次のとおり審決する。
【結　論】
　本件審判の請求は、成り立たない。
【理　由】
１．手続の経緯・本願発明
　本願は、平成３年６月１５日の出願であって、その請求項１に係る発明は、平成１４年９月１７日付け手続補正書によって補正された明細書及び図面の記載からみて、次のとおりのものと認める。（以下、「本願発明」という。）
【請求項１】「個別にアドレスが設定された複数個の端末器を一対の線路よりなる伝送線を介して主制御装置に接続し、主制御装置から各端末器に対して、端末器を各別に指定するアドレスデータと、各端末器への送信データと、端末器から主制御装置への返信データを受信する期間を設定する信号返送期間とを含む伝送信号を時分割多重伝送するようにし、アドレスによる対応関係が設定されて組になっている一方の端末器から入力された監視入力に応じて返信されてくる返信データに対応して他方の端末器に接続された負荷を制御する制御データを主制御装置から伝送する遠隔制御システムに用いるものであって、
　アウトレットボックスに対応する寸法に外形状が形成され、上面に上方向からカードを挿脱自在に挿入するカード挿入口を設け、正面に位置表示部の発光素子を露呈させる孔を穿設しカバーと、該カバーの背面開口に被着されるボディとで構成され、該ボディの背面には外部からの伝送線を端末回路部に接続する伝送線用端子を設けた端子台を設け、上記カバーには上記カードの挿入方向の長さ寸法に近い取り付けピッチで上記アウトレットに取り付けられる取り付け枠を取着する装置本体と、
　該装置本体内に実装され、主制御装置からの伝送信号の受信抽出を行う受信回路と、返信データの返信を行う返信回路と、当該装置の固有のアドレスを設定するアドレス設定部と、上記カード挿入口から挿入される上記カードを検知するカードによって遮光されることでカードを検知する光電型の検知手段と、該検知手段の検知出力の変化点に応じて上記返信データを作成して返信回路より送出させ且つ、上記カード検知に対応せる返信データに基づいた当該装置と対応する端末器による照明負荷の点灯制御後に、上記主制御装置から伝送信号にて送信されてくる制御データにより上記発光素子を消灯し、カード非検知に対応せる返信データに基づいた上記端末器による上記照明負荷の消灯制御後に、上記主制御装置から伝送信号にて送信されてくる制御データにより上記発光素子を点灯させる機能を備えた信号処理回路と、を少なくとも有し、伝送信号から回路電源を得る端末回路部とを備えた遠隔制御用システムのカードスイッチ装置において、
　上記装置本体は、上記ボディの端子台を上記取り付け枠の中央開口に嵌めながら背面を上記取り付け枠に沿わせて上方から下方へ移動させたときに、上記取り付け枠の両端側上端に形成している係止突起が、上記カバーの背面開口の両側上端に設けている下向き開口の係止穴に挿入されるとともに、上記取り付け枠の下部片側に上記装置本体方向に向けて突設している固定片が、上記ボディを介して背面側に開口せる上記カバーの凹所に挿入される仮固定構造と、上記カバーの下面に形成した挿入孔から上記凹所内に挿入される螺子が上記固定片に設けた螺子孔に螺入締結されることで上記取り付け枠に固定される固定構造とを備えていることを特徴とする遠隔制御システム用のカードスイッチ装置。」
　なお、【請求項１】の記載中、「上記取り付け枠の両端側上端に形成している係止突起が、上記カバーの背面開口の両側状態に設けている下向き開口の係止穴に挿入される」なる記載の『両側状態』は、その用語では構成が理解できず、明細書及び図面を参酌すると『両側上端』の誤記と認められ、
また同じく、「上記『カバー』を介して背面側に開口せる上記『ボディ』の凹所に挿入される仮固定構造と、」（『』は当審で付与）なる記載では、その他の構成と合わせ考えると構成が理解できず、明細書及び図面を参酌すると「上記『ボディ』を介して背面側に開口せる上記『カバー』の凹所に挿入される仮固定構造と、」の誤記と認められるので上記のとおり認定した。
　
２．刊行物
イ．刊行物１
　これに対して、当審で通知した拒絶の理由に引用した、本願出願の日前に頒布された実願昭６３−８４７１４号（実開平２−５８４１号）のマイクロフイルム（以下、「刊行物１」という。）には、第１〜１３図とともに以下のような事項が記載されている。
i「本考案は、キーホルダによって操作されるタブレットスイッチに関するものである。・・・従来、キーホルダによって操作されるこの種のタブレットスイッチは、・・・照明器具のような負荷を直接制御するようになっていた」（明細書第１頁第１９行〜第２頁第５行）点。
ii「ケース１の前面にキーホルダのタブレットＴが挿入されるタブレット挿入部２が形成され、タブレット挿入部２の奥方にタブレット検知スイッチ３が設けられたタブレットスイッチにおいて、上記ケース１内に遠隔監視制御用端末器回路５を収納するとともにケース１の背面に一対の信号線接続端子６を設け、タブレット検知スイッチ３出力を端末器回路５の監視入力端子に入力したものである。実施例にあっては、ケース１をボディ１ａとカバー１ｂで形成し、１個用スイッチボックスに収納できる寸法としており、ケース１の周面にはスイッチボックス取付枠８を設けている。また、ケース１の背面にはアドレスおよび負荷番号を設定するディップスイッチ９ａ，９ｂが設けられている。・・・また、タブレット挿入部２の奥方には回動自在な操作レバー１４とリミットスイッチ１５とで形成されるタブレット検知スイッチ３が配置され」（明細書第４頁第９行〜同第５頁第１０行）る点。
iii「実施例では、端末器回路５から出力される制御出力にて点灯される動作表示用発光ダイオード７を設け、タブレット挿入部２の開口の下方に上記発光ダイオード７よりなる動作表示部を形成しており、・・・前面にランプカバー２１が覆着されている。」（明細書第５頁第１８行〜同第６頁第４行）点。
iv「中央制御装置３１と、スイッチ監視用端末器３２と、負荷制御用端末器３３と、タブレットスイッチＸとが一対の信号線３４で接続され、中央制御装置３１から各端末器３２，３３およびタブレットスイッチＸをアクセスして制御データ、監視データを時分割多重伝送するようになっている。ここに、中央制御装置３１から伝送される伝送信号は、・・・時分割多重信号であり、端末器３２，３３およびタブレットスイッチＸからの返送信号は電流モード信号として返送されるようになっており、中央制御装置３１では、返送された監視データに基いて負荷制御データを作成し、対応する制御用端末器３３をアクセスして上記負荷制御データを伝送して負荷Ｌを制御するようになっている。なお、・・・タブレットスイッチＸは、監視入力が変化したときに割り込み要求信号を送出し、中央制御装置３１はこの割り込み要求信号を受信したとき、・・・割り込み要求を発した・・・タブレットスイッチＸをアクセスして監視データを返送させるようになっている。」（明細書第６頁第７行〜同第７頁第８行）点。
v「タブレットスイッチに内蔵されている遠隔監視制御用端末器回路５は、第７図に示すように、中央制御装置３１から伝送される伝送信号を整流平滑して回路電源を形成する電源回路４０と、伝送信号を信号処理する信号処理回路４１と、固有アドレスを設定するチャンネル設定部４２と、伝送される複数ビットの制御データのうちどのビットにより負荷（この場合、発光ダイオード７）を制御するかを選択する負荷番号設定部４３と、タブレット検知スイッチ３出力を監視データとして取り込む監視回路４４と、制御データの負荷番号設定部４３にて設定されたビットで発光ダイオード７の点灯を制御するＬＥＤドライバー４５とで形成されている。」（明細書第７頁第１２行〜同第８頁第５行）点。
vi「タブレットスイッチＸのタブレット挿入部２に・・・タブレットＴが出し入れされて、タブレット検知スイッチ３出力が変化したとき、・・・端末器回路５から割り込み要求信号が送出され、・・・中央制御装置３１からアクセスされたときに、・・・負荷Ｌを制御するスイッチ状態の監視データとして返送されるようになっている。・・・第８図（ｂ）はタブレットスイッチＸにて制御される照明器具のような負荷Ｌの動作を示すもので、・・・タブレットＴを出し入れしたときに、負荷Ｌがオン、オフされるようになっている。」（明細書第８頁第６〜１９行）点。
vii「第９図乃至第１３図は他の実施例を示すもので、上方開口からタブレットＴを挿入するようにタブレット挿入部２ａを形成し」（明細書第９頁第５〜７行）た点。
viii「ケース１は、カバー１ｂの背面開口にボディ１ａを取り付けて形成され、スイッチボックス取付枠８はカバー１ｂに一体に設けられ、一対の信号線接続端子もボディの背面に設けられている」（第２，３，４，１０，１１，１２，１３図）点。
ix「動作表示用発光ダイオード７は、カバー１ｂの前面の孔に設けられ、その孔部分で動作表示用発光ダイオード７の前面にランプカバー２１が覆着される」（第１，２図）点。および
x「タブレットの挿入方向の長さ寸法に、タブレットスイッチ、スイッチボックス取付枠およびスイッチボックス取付枠両端部の取付孔は、近い長さを有する」（第１〜４，９〜１２図）点。
　
　そして、刊行物１の記載によると、タブレットスイッチＸにアドレス設定部４２を有し(ii,v)、割り込み要求信号のあったタブレットスイッチＸにアクセスする(iv,vi)ことから、タブレットスイッチは個別にアドレスが設定されていること、
一対の信号線により中央制御装置３１から各端末器３２，３３およびタブレットスイッチＸをアクセスして、制御データ、監視データを時分割多重伝送するように、制御データの伝送と電流モード信号による監視データの返送を行い割り込み要求を発したタブレットスイッチＸにアクセスする(iv)ものであることから、アドレスデータと各端末器への制御データと中央制御装置が監視データを受け取る期間とを含む伝送信号を時分割多重伝送され、一対の信号線は伝送線として用いられていること、
中央制御装置３１では、返送された監視データに基いて負荷制御データを作成し、対応する制御用端末器３３をアクセスして上記負荷制御データを伝送して負荷Ｌを制御するようになって(iv)おり、タブレットスイッチＸにタブレットＴが出し入れされて、タブレット検知スイッチ３出力が変化するのに応じて、中央制御装置３１からアクセスされたときに、負荷Ｌを制御するスイッチ状態の監視データとして返送され、タブレットスイッチＸにて制御される照明器具のような負荷Ｌがオン、オフされるようになっている(vi)ことから、タブレットスイッチＸに対応する制御用端末器があって、タブレットスイッチに入力されると監視データが返送され、このデータに応じて制御用端末器の負荷を制御する負荷制御データを中央制御装置から伝送すること及びタブレット検知スイッチの出力の変化に対応して監視データを作成して返送し、上記監視データに基づいて対応する制御用端末器による負荷である照明器具を制御すること、
ケースが１個用スイッチボックスに収納できる寸法としており、ケース１のカバー１ｂ周面にはスイッチボックス取付枠８を設けて(ii,viii)おり、タブレットの挿入方向の長さ寸法に、タブレットスイッチ、スイッチボックス取付枠およびスイッチボックス取付枠両端部の取付孔が近い長さを有して(x)いることから、タブレットの挿入方向の長さ寸法に近い取付ピッチで、カバーと一体に設けられるスイッチボックス取付枠はスイッチボックスに取り付けられること、がそれぞれ認められ、タブレットスイッチも１つの端末器であることが明らかであるから、これらの事項をも勘案して、上記i〜xの記載及び図面を総合すると、
刊行物１には、「個別にアドレスが設定された複数個の端末器を一対の信号線３４よりなる伝送線を介して中央制御装置３１に接続し、中央制御装置３１からスイッチ監視用端末器３２と負荷制御用端末器３３とタブレットスイッチＸ（つまり各端末器）に対して、端末器を各別に指定するアドレスデータと、各端末器への制御データと、端末器からの監視データを中央制御装置３１が受け取る期間とを含む伝送信号を時分割多重伝送するようにし、タブレットスイッチＸに入力されタブレット検知スイッチ出力に応じて返信されてくる監視データに対応して、組になっている負荷制御用端末器３３に接続された負荷Ｌを制御する負荷制御データを中央制御装置３１から伝送する遠隔制御のシステムに用いるタブレットスイッチＸであって、
　スイッチボックスに対応する寸法に外形状が形成され、その前面にタブレットＴが挿入されるタブレット挿入部２の開口と孔を有し、その孔部分に動作表示用発光ダイオード７の前面に位置するランプカバー２１が覆着されたカバー１ｂと、カバー１ｂの背面開口に取り付けられるボディ１ａとで構成され、該ボディ１ａの背面には一対の信号線３４よりなる伝送線を端末器回路５に接続する一対の信号線接続端子６を設け、上記カバー１ｂには上記タブレットＴの挿入方向の長さ寸法に近い取り付けピッチでスイッチボックスに取り付けられるスイッチボックス取付枠８をカバー１ｂに一体に設けたケース１と、
　ケース１内に実装され、当該タブレットスイッチＸに固有のアドレスを設定するアドレス設定部４２と、タブレット挿入部２の開口に挿入されるタブレットＴを検知する、操作レバー１４とリミットスイッチ１５とで形成されるタブレット検知スイッチ３と、タブレット検知スイッチ３の出力の変化に対応して監視データを作成して返送し、且つ、上記監視データに基づいて中央制御装置３１は対応する制御用端末器３３による負荷Ｌである照明器具を制御するとともに中央制御装置３１から伝送信号にて送信されてくる制御データにより発光ダイオード７を制御する機能を備えた信号処理回路４１と、を有し、伝送信号から回路電源を形成する電源回路４０を有する端末器回路５とを備えた遠隔制御のシステムに用いるタブレットスイッチＸ」の発明（以下、「引用発明１」という。）が記載されていると認められる。
　
ロ．刊行物２
　同じく、当審で通知した拒絶の理由に引用した、本願出願の日前に頒布された実願昭５９−１９８５７４号（実開昭６１−１１３３３０号）のマイクロフイルム（以下、「刊行物２」という。）には、第１〜７図とともに以下のような事項が記載されている。
i 「点滅器と壁埋め込みボックスと取付金具とを有し、・・・壁埋め込みボックス・取付金具・点滅器の順に取り付けてなる点滅器の取付装置」（請求項１）である点。
ii「１１は照明器具等を制御する点滅器であり、略Ｔ字型をしており表面上部には操作部１２を有している。また点滅器１１は照明器具等を制御する制御基板１３等のメイン部をその上方に設けている。１４は上記点滅器１１を壁の中に取り付ける際に点滅器１１を壁の中で保護する壁埋め込みボックスである。・・・１６は上記点滅器１１を壁埋め込みボックス１４に取り付けるための取付金具であ」（明細書第５頁第１７行〜同第６頁第７行）る点。
iii「壁埋め込みボックス１４と取付金具１６と点滅器１１は、その上下端部において略同じピッチで取り付けられ、かつ点滅器１１は壁埋め込みボックス１４と取付金具１６とを覆うように構成されている」（第１〜５図）点。および
iv「取付金具１６は中央に開口を有し、当該開口に点滅器１１の後方に突出する　部分が嵌め込まれている」（第１〜３図）点。
　
３．対比・判断
本願発明１と引用発明１とを対比すると、その機能・構造からみて、
後者の「信号線３４」は前者の「線路」に相当し、以下同様に、「中央制御装置３１」は「主制御装置」に、「制御データ」は「送信データ」に、「監視データ」は「返信データ」に、「端末器からの監視データを中央制御装置３１が受け取る期間」は「主制御装置への返信データを受信する期間を設定する信号返送期間」に、「タブレットスイッチＸ」は「一方の端末器」及び「カードスイッチ装置」に、「タブレット検知スイッチ出力」は「監視入力」に、「負荷制御用端末器３３」は「他方の端末器」に、「負荷制御データ」は「制御データ」に、「遠隔制御のシステム」は「遠隔制御システム」に、「スイッチボックス」は「アウトレットボックス」に、（カバー１ｂの）「前面」は（カバーの）「正面」に、「発光ダイオード７」は「発光素子」に、「カバー１ｂの背面開口に取り付けられるボディ１ａ」は「カバーの背面開口に被着されるボディ」に、「端末器回路５」は「端末回路部」に、「信号線接続端子６」は「伝送線用端子」に、「スイッチボックス取付枠８」は「取り付け枠」に、「ケース１」は「装置本体」に、「負荷である照明器具」は「照明負荷」にそれぞれ相当している。
そして、後者の「タブレットＴ」と前者の「カード」とは、「操作体」という概念で、
また、「タブレット挿入部２の開口」と「カード挿入口」とは、「操作体の挿入口」という概念で、さらに、
「その孔部分で動作表示用発光ダイオード７の前面にランプカバー２１が覆着される」と「発光素子を露呈させる孔を穿設し」とは、「発光素子により表示する孔を設ける」という概念で、さらにまた、
「タブレットＴを検知するタブレット検知スイッチ３」と「カードを検知するカードによって遮光されることでカードを検知する光電型の検知手段」とは、「操作体を検知する検知手段」という概念で、そして、
「タブレット検知スイッチ３の出力の変化に対応して」と「検知手段の検知出力の変化点に応じて」とは、「操作体を検知する検知手段の出力の変化点に応じて」という概念で、それぞれ共通している。
また、後者の「一対の信号線３４よりなる伝送線」は、タブレットスイッチＸからみて外部からの伝送線であることは自明である。
　そうしてみると、両者は、
「個別にアドレスが設定された複数個の端末器を一対の線路よりなる伝送線を介して主制御装置に接続し、主制御装置から各端末器に対して、端末器を各別に指定するアドレスデータと、各端末器への送信データと、端末器から主制御装置への返信データを受信する期間を設定する信号返送期間とを含む伝送信号を時分割多重伝送するようにし、対応関係が設定されて組になっている一方の端末器から入力された監視入力に応じて返信されてくる返信データに対応して他方の端末器に接続された負荷を制御する制御データを主制御装置から伝送する遠隔制御システムに用いるものであって、
　アウトレットボックスに対応する寸法に外形状が形成され、操作する操作体を挿脱自在に挿入する挿入口を設け、発光素子により表示する孔を設けたカバーと、該カバーの背面開口に被着されるボディとで構成され、該ボディの背面には外部からの伝送線を端末回路部に接続する伝送線用端子を設け、上記カバーには上記挿入体の挿入方向の長さ寸法に近い取り付けピッチで上記アウトレットに取り付けられる取り付け枠を取り付ける装置本体と、
　該装置本体内に実装され、当該装置の固有のアドレスを設定するアドレス設定部と、上記挿入口から挿入される操作体を検知する検知手段と、該検知手段の検知出力の変化点に応じて上記返信データを作成して返信回路より送出させ且つ、上記検知に対応せる返信データに基づいた当該装置と対応する端末器による照明負荷の点消灯制御するとともに、上記主制御装置から伝送信号にて送信されてくる制御データにより上記発光素子を点消灯制御させる機能を備えた信号処理回路と、を少なくとも有し、伝送信号から回路電源を得る端末回路部と、
　上記ボディの背面に配設され、外部からの伝送線を端末回路部に接続する伝送線用端子と、を備えたことを特徴とする遠隔制御用システムのスイッチ装置。」である点で、一致し、以下の点で両者は相違しているものと認められる。
（１）一方の端末器と他方の端末器の対応関係が設定されて組にする具体的手段として前者はアドレスによるのに対して、後者は何により対応関係を設定しているのか明確でない点。
（２）前者が上面に上方向からカードを挿脱自在に挿入するカード挿入口を設けているのに対して、後者は正面にタブレット挿入部を設けている点。
（３）前者がカバーに穿設した孔より発光素子を露呈させるのに対して、後者はカバーの孔には、発光素子の前面に位置するランプカバーが覆着されている点。
（４）ボディの背面に設けられる伝送線用端子について、前者は端子台に設けているのに対して、後者は端子台を有するのか否か明確でない点。
（５）前者は、アウトレットボックスに取り付けられる取り付け枠をカバーに取着しており、装置本体は、上記ボディの端子台を上記取り付け枠の中央開口に嵌めながら背面を上記取り付け枠に沿わせて上方から下方へ移動させたときに、上記取り付け枠の両端側上端に形成している係止突起が、上記カバーの背面開口の両側上端に設けている下向き開口の係止穴に挿入されるとともに、上記取り付け枠の下部片側に上記装置本体方向に向けて突設している固定片が、上記ボディを介して背面側に開口せる上記カバーの凹所に挿入される仮固定構造と、上記カバーの下面に形成した挿入孔から上記凹所内に挿入される螺子が上記固定片に設けた螺子孔に螺入締結されることで上記取り付け枠に固定される固定構造とを備えているのに対して、後者は、ケースのカバーに一体に設けられるスイッチボックス取付枠でアウトレットボックスに取り付けられ、本願のような固定構造ではない点。
（６）前者は主制御装置からの伝送信号の受信抽出を行う受信回路と、返信データの返信を行う返信回路と、を有しているのに対して、後者はこれらの回路を有することが明確ではない点。
（７）前者は操作体がカードであり、カードによって遮光されることでカードを検知する光電型の検知手段を用いているのに対して、後者はタブレットであって、操作レバー１４とリミットスイッチ１５とで形成される検知手段を用いている点。
（８）前者がカード検知に対応せる返信データに基づいた当該装置と対応する端末器による照明負荷の点灯制御後に、上記主制御装置から伝送信号にて送信されてくる制御データにより上記発光素子を消灯し、カード非検知に対応せる返信データに基づいた上記端末器による上記照明負荷の消灯制御後に、上記主制御装置から伝送信号にて送信されてくる制御データにより上記発光素子を点灯させるのに対して、後者は、検知に対応せる返信データに基づいた当該装置と対応する端末器による照明負荷の点消灯制御するとともに、主制御装置から伝送信号にて送信されてくる制御データにより発光素子を点消灯制御するもので、この発光素子により動作表示するものの、具体的な点消灯の態様やタイミングが明確ではない点。
　
　そこで、上記相違点について検討する。
　相違点（１）について、引用発明１は、各端末器に固有のアドレスを設定し、１対の信号線３４よりなる伝送線を介して中央制御装置３１により時分割多重伝送により監視・制御するもので、タブレットスイッチＸと対になっている負荷制御用端末器３３を中央制御装置３１を介して監視データ及び負荷制御データにより、制御するものであり、かつ、各端末器毎に固有のアドレスを設定し伝送線を介して中央制御装置により時分割多重伝送により遠隔監視制御するものにおいてアドレスにより対応する監視器と制御器を対応付けることが本願出願前より常套手段であるといえることから、引用発明１における対応関係をアドレスにより設定して組とすることは、当業者が通常なす程度のことにすぎない。
　相違点（２）について、刊行物１には、他の実施例として上方開口からタブレットを挿入するようにタブレット挿入部を形成したものも記載されているように（上記２．イ．vii参照。）、挿入口を上面に設ける程度のことは当業者にとって適宜設計変更しうることにすぎないと認められる。
　相違点（３）について、発光素子を直接孔より露呈することは、例えば、実願昭５６−１２５４００号（実開昭５８−３１５８３号）のマイクロフイルム、実願昭５６−１６４５９０号（実開昭５８−６９９９３号）のマイクロフイルムや実願昭６２−１８８６７６号（実開平１−９２１５４号）のマイクロフイルム等に示されるように周知のことにすぎない。そして孔を設ける手段として、穿設することも当業者にとって単なる設計事項にすぎない。
　相違点（４）について、端子を端子台に設ける程度のことは、当業者にとって単なる慣用手段の適用にすぎない。
　相違点（５）について、
　刊行物２には、壁埋め込みボックス（本願発明におけるアウトレットボックスに相当する。以下同じ。）を覆う（対応する）外形状に形成された点滅器（装置本体）を、壁埋め込みボックス（アウトレットボックス）に取り付けられる取付金具（取り付け枠）に、その中央開口に本体の後方を嵌めて、取着することが示されており、壁に付けられる照明の制御装置の取付構造として刊行物２に示される構造を用いる程度のことは、当業者にとって容易になし得ることである。そして、引用発明１のスイッチボックス取付枠は背面開口にボディを有するカバーに設けられており、ボディの背面に伝送線用端子を有しているのであるから、上記取付構造を採用するに際して取り付け枠とカバーとを取着し、取り付け枠の中央開口に、背面に伝送線用端子を有するボディを嵌めるするようにすることは、当業者にとって適宜設計変更しうることにすぎない。
さらに、取り付け枠の両端側上端及びカバーの背面開口の両側上端にカバーを上方から移動させて係止する係止部材を有し、取り付け枠の下部に装置本体方向に向けて突設している固定片が、カバー内に挿入され、カバーの下面に形成した挿入部分から挿入される螺子が上記固定片とカバーを固定することは、例えば実願昭５５−１３７９６１号（実開昭５７−６０３３１号）のマイクロフイルムに示されるように周知の技術にすぎず、取り付け枠にカバーを取着する具体的構成として、上記周知の技術を適用する程度のことも、上記刊行物２に記載の事項を適用するに際して当業者が適宜採択しうる程度のことにすぎない。
　なお、装置本体を上方から係止する係止部材として単に取り付け枠に係止突起、本体に下向き開口の係止孔とすることや下部の突設片を片側に寄せて設けること、螺子をカバーの下面から挿入する部分の形状を孔とすること、固定片とカバーを螺子により固定するために固定片に螺子孔を設けてこれに螺入締結することは、それにより格別の技術的意義は認められないから、当業者が適宜なし得る設計的事項にすぎず、さらには固定片が挿入されるカバーの背面側の開口に係るカバーの凹部の構成として、ボディをも関連させて設けることも、そもそも引用発明１のカバーの後面にはボディが設けられるものであることから当業者にとって当然考慮すべき設計的事項である。
　相違点（６）について、端末器が、信号処理回路と、時分割多重伝送される信号線とのインターフェースとして、送信回路及び返信回路を有するよう構成することは、当業者にとってごく普通になされることにすぎない。
　相違点（７）について、カードを光電型の検知手段により検知する照明制御用のカードキーによるカードスイッチは、例えば実願昭６１−１４６６１８号（実開昭６３−５２２３６号）のマイクロフイルムや特開昭６４−２２３１号公報等に示されているように当該技術分野において本願出願前周知のものであって、引用発明１のキーホルダのタブレットを光電型の検知手段とともに用いるカードとする程度のことは、当業者にとって単なる周知技術の置き換えにすぎないと認められる。
　相違点（８）について、照明器具の動作表示のために照明負荷の点灯時に表示素子を消灯制御ことは、例えば実願昭６１−１４６６１８号（実開昭６３−５２２３６号）のマイクロフイルムにも示されるように、当業者にとって常套手段である。そして、具体的にどのタイミングでどのように点消灯制御するかは、動作表示という目的からして、また、スイッチ操作者の便宜を考えて、当業者が適宜設計変更しうるものと言うべきであり、本願発明のような点消灯制御に格別の技術的意義は認められない。
　そしてこれら相違点を合わせ考えても、本願発明による効果は、引用発明１、刊行物２に記載の事項及び周知の技術から当業者が予測できる程度のものであって、格別の作用効果が奏されるとは認められない。
４．むすび
　したがって、本願発明は、引用発明１、刊行物２に記載の事項及び周知の技術に基いて当業者が容易に発明をすることができたものであるから、特許法第２９条第２項の規定により特許を受けることができない。
　よって、結論のとおり審決する。